(57)【要約】【課題】  接写撮影時に、デジタルカメラの接写箇所をユーザ（撮影者）に容易に判断させることができるデジタルカメラ付き携帯電話を提供する。【解決手段】  通常撮影時には、被写体に対して、補助光部１０４から出射される拡散光が照射される。また、接写撮影時には、被写体に対して、補助光部１０４から出射されるスポット光が照射される。ユーザは、接写撮影時に、この照射されたスポット光を、接写撮影すべき被写体の撮影ポイントに合わせることにより、カメラの撮像位置を、接写撮影すべき被写体の撮影ポイントに的確に合わせることができる。【選択図】  図１
2006115107.tif 000002
【特許請求の範囲】
【請求項１】
接写が可能なデジタルカメラを備えた撮影手段と、撮影した映像を表示する表示手段とを備えたデジタルカメラ付き携帯電話であって、
通常撮影時には補助光として拡散光を出射し、接写撮影時には補助光としてスポット光を出射する補助光出射手段を備え、
ユーザが前記スポット光を被写体または被写体上の部分領域に照射した時に、前記デジタルカメラが前記被写体または被写体上の部分領域を接写できるように構成されていることを特徴とするデジタルカメラ付き携帯電話。
【請求項２】
前記補助光出射手段は、前記デジタルカメラに隣接または略隣接して設置されていることを特徴とする請求項１に記載のデジタルカメラ付き携帯電話。
【請求項３】
前記補助光出射手段は、筒状の筐体内に収められ、撮影可能な状態において、前記補助光を出射する光源が前記筒状の筐体内を前後に移動可能であるように構成されていることを特徴とする請求項１または請求項２に記載のデジタルカメラ付き携帯電話。
【請求項４】
前記筒状の筐体は、前記補助光を放射する出口にレンズを備えていることを特徴とする請求項３に記載のデジタルカメラ付き携帯電話。
【請求項５】
前記補助光出射手段は、前記補助光を出射する光源を、前記筒状の筐体内で前後に移動させることにより、前記拡散光と前記スポット光との切り替えを行うことを特徴とする請求項３または請求項４に記載のデジタルカメラ付き携帯電話。
【請求項６】
前記拡散光と前記スポット光との切り替えを、ユーザが指令することができる手段を備えたことを特徴とする請求項１から請求項５のいずれか１項に記載のデジタルカメラ付き携帯電話。
【請求項７】
撮影可能な状態の時にユーザと対面する筐体面に、前記デジタルカメラの位置を示すマークを付したことを特徴とする請求項１から請求項６のいずれか１項に記載のデジタルカメラ付き携帯電話。
【請求項８】
撮影可能な状態の時に、ユーザが被写体を覗き見ることができるファインダーを、筐体に備えたことを特徴とする請求項１から請求項７のいずれか１項に記載のデジタルカメラ付き携帯電話。
【発明の詳細な説明】
【技術分野】
【０００１】
本発明はデジタルカメラ付き携帯電話に係り、特に、接写撮影時に、接写箇所をユーザに把握させる手段を備えたデジタルカメラ付き携帯電話に関する。
【背景技術】
【０００２】
従来のデジタルカメラ付き携帯電話では、現時点でデジタルカメラが撮影している撮像箇所がどの箇所であるかを、表示画面に表示されている画像を視認することにより判断していた。
【０００３】
また、デジタルカメラ付き携帯電話ではないが、従来のコード読み取り装置の技術として、例えば、特許文献１（特開２００４−１８５２８９号公報）には、読み取る位置を示す照準位置をレーザー光線で照射する手段を有するコード読み取り装置が開示されている。
【特許文献１】特開２００４−１８５２８９号公報
【発明の開示】
【発明が解決しようとする課題】
【０００４】
しかしながら、上記背景技術で述べた従来のデジタルカメラ付き携帯電話にあっては、接写撮影の時などでは、画面に表示されている画像以外の画像（周辺画像）が表示されず、さらに、現時点でデジタルカメラが写している部分がどの部分であるかが分かる仕組みを備えていないため、どこを撮影しているのかが分からなくなったり、撮影すべき箇所にカメラの位置を迅速かつ正確に合わせることが難しいという問題点があった。
【０００５】
ちなみに、接写撮影の時などで、接写している箇所が分かりずらい原因としては、従来からデジタルカメラ付き携帯電話には様々な形状のものがあることや、筐体上のデジタルカメラの設置位置も多種多様であることなどが挙げられる。
【０００６】
なお、前述の特許文献１（特開２００４−１８５２８９号公報）においては、撮像箇所をレーザーで照射して示すための照射手段を備えてはいるが、この照射手段は、半導体レーザーを有する複雑な構造をしており、また、本発明のようにデジタルカメラ付き携帯電話ではなく、コード読み取り用途に限定される手段である。
【０００７】
本発明は、上記従来の問題点に鑑みてなされたものであって、接写撮影時に、デジタルカメラの接写箇所をユーザ（撮影者）に容易に判断させることができるデジタルカメラ付き携帯電話を提供することを目的としている。
【課題を解決するための手段】
【０００８】
上記課題を解決するために、本発明に係るデジタルカメラ付き携帯電話は、以下の特徴を備えている。
【０００９】
接写が可能なデジタルカメラを備えた撮影手段と、撮影した映像を表示する表示手段とを備えたデジタルカメラ付き携帯電話であって、通常撮影時には補助光として拡散光を出射し、接写撮影時には補助光としてスポット光を出射する補助光出射手段を備え、ユーザが前記スポット光を被写体または被写体上の部分領域に照射した時に、前記デジタルカメラが前記被写体または被写体上の部分領域を接写できるように構成されていることを特徴とするデジタルカメラ付き携帯電話である。
【００１０】
また、前記デジタルカメラ付き携帯電話において、前記補助光出射手段は、前記デジタルカメラに隣接または略隣接して設置されていることを特徴とする。
【００１１】
また、前記デジタルカメラ付き携帯電話において、前記補助光出射手段は、筒状の筐体内に収められ、撮影可能な状態において、前記補助光を出射する光源が前記筒状の筐体内を前後に移動可能であるように構成されていることを特徴とする。
【００１２】
また、前記デジタルカメラ付き携帯電話において、前記筒状の筐体は、前記補助光を放射する出口にレンズを備えていることを特徴とする。
【００１３】
また、前記デジタルカメラ付き携帯電話において、前記補助光出射手段は、前記補助光を出射する光源を、前記筒状の筐体内で前後に移動させることにより、前記拡散光と前記スポット光との切り替えを行うことを特徴とする。
【００１４】
また、前記デジタルカメラ付き携帯電話において、前記拡散光と前記スポット光との切り替えを、ユーザが指令することができる手段を備えたことを特徴とする。
【００１５】
また、前記デジタルカメラ付き携帯電話において、撮影可能な状態の時にユーザと対面する筐体面に、前記デジタルカメラの位置を示すマークを付したことを特徴とする。
【００１６】
さらに、前記デジタルカメラ付き携帯電話において、撮影可能な状態の時に、ユーザが被写体を覗き見ることができるファインダーを、筐体に備えたことを特徴とする。
【００１７】
即ち、本発明に係るデジタルカメラ付き携帯電話は、デジタルカメラ付き携帯電話において、現在デジタルカメラが接写している部分が何処であるかをユーザが把握できるようにするために、撮影時に被写体周辺が暗い場合に用いる補助光源を使用し、この補助光源を筒状筐体内で前後に移動させることによってスポット光を得るように構成し、さらに、このスポット光が照射された場所が接写されるように構成している。このため、接写箇所をユーザに把握させる仕組みを低コストで実現することができる。
【００１８】
また、このスポット光を得るための仕組みにレンズを使用する構成も可能としたので、光束を一層効果的に集中させることができる。
【００１９】
また、デジタルカメラが現時点で接写している箇所がどこであるかをユーザが把握できるようにするために、このデジタルカメラの位置が分かるマークを筺体の該当位置に付ける構成も可能にしている。
【００２０】
さらに、デジタルカメラが現時点で接写している箇所が何処であるかをユーザが把握できるようにするために、筐体にファインダーを設ける構成も可能としている。これにより、ユーザは、例えば、このファインダーからスポット光が照射される位置を確認して接写することができる。
【発明の効果】
【００２１】
以上説明したように、本発明のデジタルカメラ付き携帯電話によれば、接写撮影時にデジタルカメラが撮影している箇所をスポット光の照射箇所により容易に判断できるように構成したので、ユーザは、接写すべき箇所を正確に把握して撮影することができる効果がある。
【００２２】
また、撮影時に、被写体周辺が暗い場合に従来から用いられている補助光源を光源として使用し、撮影可能な状態において、この補助光源を、筒状の筐体内を前後に移動させることで通常撮影時の拡散光または接写撮影時の前記スポット光を得るように構成したので、接写すべき箇所を正確に把握できる機能を付与した低コストのデジタルカメラ付き携帯電話を提供することができる。
【００２３】
また、このスポット光を得るための仕組みにレンズを使用する構成も可能としたので、光束を一層効果的に集中させることができる効果がある。
【００２４】
また、デジタルカメラが現時点で接写している箇所が何処であるかをユーザが容易に把握できるようにするために、デジタルカメラの設置個所の位置を、該当する筐体面上の位置に付されたマークによってユーザに知らせるので、ユーザは、接写撮影箇所の把握が容易になる。
【００２５】
さらに、デジタルカメラが現時点で接写している箇所が何処であるかをユーザが容易に把握できるようにするために、筐体にファインダーを備える構成も可能としたので、ユーザは、例えば、このファインダーからスポット光が被写体に照射される位置を容易に確認することが可能となり、よって、接写すべき箇所を正確に把握した上で接写することができる効果がある。
【発明を実施するための最良の形態】
【００２６】
以下、本発明のデジタルカメラ付き携帯電話の最良の実施形態について、図面を参照して詳細に説明する。
【００２７】
図１は、本発明の実施形態に係るデジタルカメラ付き携帯電話の全体構成を示す外観図であり、図１（ａ）は本装置（携帯電話）を開いた状態での背面図を示し、図１（ｂ）は本装置を開いた状態での正面図を示す。
【００２８】
同図に示すように、本実施形態に係るデジタルカメラ付き携帯電話は、表示部を搭載した表示部筐体１１と、操作部（操作ボタン）を搭載した操作部筐体１２と、撮像データ等を表示するための表示画面である表示部１０１と、操作指令やデータを入力するための操作ボタン１０２と、撮影用のカメラを搭載した表示部筐体１１内のカメラ部１０３と、撮影時に被写体周辺が暗い場合に使用する補助光部１０４（補助光出射手段）と、を備えて構成される。
【００２９】
表示部１０１は、表示部筐体１１の背面に搭載され（図１（ａ））、液晶パネル（液晶表示画面を備えたパネル）等により構成することができる。
【００３０】
操作ボタン１０２は、操作部筐体１２の背面に搭載される（図１（ａ））。
【００３１】
この操作ボタン１０２は、機械式（押しボタン等）、及び電気式（感圧ダイオード等）で構成することができる。
【００３２】
カメラ部１０３と補助光部１０４とは、表示部筐体１１の正面に、互いに隣接または略隣接して搭載されるものとする（図１（ｂ））。
【００３３】
なお、表示部筐体１１の背面側（即ち、表示部１０１側）には、正面側のカメラ部１０３の背面部に、カメラ位置マークを、印刷手段等により付けることが可能である（後述の図５参照）。
【００３４】
また、表示部筐体１１の背面側（即ち、表示部１０１側）には、空き部分に、ファインダー（透し穴）を設けることが可能である（後述の図６参照）。
【００３５】
このファインダーの両端面には、平面ガラスまたはレンズを貼り付けることができる。
【００３６】
図２は、本実施形態に係るデジタルカメラ付き携帯電話の補助光部の構造を示す側面図である。
【００３７】
同図に示すように、本実施形態に係るデジタルカメラ付き携帯電話の補助光部１０４は、補助光を出射する光源２０１と、光源光源２０１を係合すると共に撮影可能状態において光源光源２０１を前後に移動可能にする平行移動装置２０２と、光源２０１及び平行移動装置２０２を収納する筒状筐体２０３とを備える。
【００３８】
光源２０１は、ＬＥＤ（発光素子）等で構成することが可能である。
【００３９】
平行移動装置２０２は、電磁石を用いる方法か、若しくは小型モータの回転をスクリュー棒により並行の動きに変える方法などを用いて実現できる。
【００４０】
なお、筒状筐体２０３には、光源２０１から出射される光の出口に、スポット光の光束を一層効果的に集中させるためのレンズを設置することも可能である（後述の図４参照）。
【００４１】
以下、本実施形態に係るデジタルカメラ付き携帯電話の機能を説明する。
【００４２】
本実施形態に係るデジタルカメラ付き携帯電話では、接写撮影時に、ユーザ（撮影者）が、被写体に対して、補助光部１０４から出射されるスポット光（補助光）を照射した時に、この照射された箇所が即ち接写されるポイントとして位置決めされるように構成している。
【００４３】
図３は、本実施形態に係るデジタルカメラ付き携帯電話において、被写体に対してスポット光を照射する方法を説明するための説明図であり、図３（ａ）は通常撮影時の照射方法と照射範囲を示し、図３（ｂ）は接写撮影時の照射方法と照射範囲を示す。
【００４４】
通常撮影時には、図３（ａ）に示すように、平行移動装置２０２を一杯に引き出し、光源２０１を筒状筐体２０３の(図面に向かって)右側寄りに移動させる。これにより、ユーザは、光源２０１から出射される補助光を拡散光として使用することができる。
【００４５】
一方、接写撮影時には、図３（ｂ）に示すように、接写箇所をユーザに示すために、平行移動装置２０２の長さを短縮して、光源２０１を筒状筐体２０３の(図面に向かって)左側寄りに移動させる。これにより、光源２０１からの出射光は、その周囲が、筒状筺体２０３の出口で遮られるので、図３（ａ）に示すような拡散光ではなく、スポット光として被写体に照射されることになる。
【００４６】
なお、このスポット光の出口は、カメラ部１０３に近接しているため、この出口から放射されるスポット光は、デジタルカメラが接写している被写体の接写ポイント（的確に接写されるポイント）に近い位置を照射することになる。
【００４７】
接写撮影時、ユーザは、この照射されたスポット光（図３（ｂ））を、接写撮影すべき被写体の撮影ポイントに合わせることにより、カメラの撮影位置を、接写撮影すべき被写体の撮影ポイントに合わせることができる。
【００４８】
また、通常撮影時であっても、ユーザが、撮影中に何処を撮影しているかが分からなくなった場合には、このユーザは、操作ボタン１０２から切り替え指令を入力して、補助光部１０４から出射される拡散光（図３（ａ））を、このスポット光（図３（ｂ））に切り替えることができるので、このスポット光が被写体上に照射される位置を視認することにより、直ちに、何処を撮影しているかが判断可能となる。
【００４９】
図４は、本実施形態に係るデジタルカメラ付き携帯電話において、被写体に対してスポット光を照射する他の方法を説明するための説明図であり、図４（ａ）は接写撮影時の照射方法と照射範囲を示し、図４（ｂ）は通常撮影時の照射方法と照射範囲を示す。
【００５０】
図４では、図２に示す補助光部１０４の筒状筐体２０３の出口に、レンズ３０１を追加した場合の補助光の照射方法を示す。
【００５１】
図４（ａ）に示す接写撮影時の照射方法では、補助光がスポット光として使用される。また、図４（ｂ）に示す通常撮影時には、補助光が拡散光として使用される。
【００５２】
この構成では、補助光部１０４の構成要素としてレンズを追加するため、図３に示す補助光部１０４の構造よりも若干コストは高くなるが、図３に示す場合よりも、スポット光の光束を一層効果的に集中させることが可能となる。
【００５３】
図５は、本実施形態に係るデジタルカメラ付き携帯電話に、カメラの設置箇所を知るためのカメラ位置マークを付ける方法を説明する説明図であり、図５（ａ）は本装置（携帯電話）を開いた状態での背面図を示し、図５（ｂ）は本装置を開いた状態での正面図を示す。
【００５４】
本実施形態に係るデジタルカメラ付き携帯電話の表示部筐体１１には、カメラの設置箇所を知るためのカメラ位置マークを付けることができる。
【００５５】
即ち、図５（ａ）に示す表示部筐体１１の正面に搭載されたカメラ部１０３のカメラの設置位置が、図５（ｂ）に示す表示部筐体１１の背面側において、何処に該当しているかをユーザに知らせたい場合は、表示部筐体１１の表示部１０１が搭載されている側と同じ背面側の、カメラ部１０３に搭載されたカメラの真裏に該当する位置に、カメラ位置マーク３０２を付けることができる。
【００５６】
これにより、ユーザは、カメラ部１０３のカメラの真裏の位置が、表示部筐体１１の背面側のどの位置であるかを知ることができるので、カメラの接写箇所を知るための手掛かりとすることができる。
【００５７】
図６は、本実施形態に係るデジタルカメラ付き携帯電話に、被写体の状態を覗き見るためのファインダーを付ける方法を説明する説明図であり、図６（ａ）は本装置（携帯電話）を開いた状態での背面図を示し、図６（ｂ）は本装置を開いた状態での正面図を示す。
【００５８】
本実施形態に係るデジタルカメラ付き携帯電話の表示部筐体１１には、ユーザが被写体の状態を覗き見るためのファインダー（透し穴）を設けることができる。
【００５９】
即ち、図６（ａ）に示す表示部筐体１１の正面から、図６（ｂ）に示す表示部筐体１１の背面までを貫通するファインダー３０３（透し穴）を設けることができる。このファインダー３０３を設けることができる位置は、表示部１０１、カメラ部１０３、補助光部１０４、及び内部配線等の各構成要素の設置領域を除く位置である。
【００６０】
これにより、ユーザは、このファインダー３０３を介して被写体の状態を覗き見ることによって、補助光部１０４から出射された前述のスポット光が、被写体上に照射される様子を視認することができるので、接写撮影時に、本装置（携帯電話）を動かしたり、本装置（携帯電話）から視線を外したりすることなく、カメラ部１０３の接写位置が、被写体上の何処であるかを的確に知ることができる。
【図面の簡単な説明】
【００６１】
【図１】本発明の実施形態に係るデジタルカメラ付き携帯電話の全体構成を示す外観図であり、（ａ）は、本装置（携帯電話）を開いた状態での背面図を示し、（ｂ）は、本装置を開いた状態での正面図を示す。
【図２】本実施形態に係るデジタルカメラ付き携帯電話の補助光部の構造を示す側面図である。
【図３】本実施形態に係るデジタルカメラ付き携帯電話において、被写体に対してスポット光を照射する方法を説明するための説明図であり、（ａ）は、通常撮影時の照射方法と照射範囲を示し、（ｂ）は、接写撮影時の照射方法と照射範囲を示す。
【図４】本実施形態に係るデジタルカメラ付き携帯電話において、被写体に対してスポット光を照射する他の方法を説明するための説明図であり、（ａ）は、接写撮影時の照射方法と照射範囲を示し、（ｂ）は、通常撮影時の照射方法と照射範囲を示す。
【図５】本実施形態に係るデジタルカメラ付き携帯電話に、カメラの設置箇所を知るためのカメラ位置マークを付ける方法を説明する説明図であり、（ａ）は、本装置（携帯電話）を開いた状態での背面図を示し、（ｂ）は、本装置を開いた状態での正面図を示す。
【図６】本実施形態に係るデジタルカメラ付き携帯電話に、被写体を覗き見るためのファインダーを付ける方法を説明する説明図であり、（ａ）は、本装置（携帯電話）を開いた状態での背面図を示し、（ｂ）は、本装置を開いた状態での正面図を示す。
【符号の説明】
【００６２】
１１  表示部筐体
１２  操作部筐体
１０１  表示部
１０２  操作ボタン
１０３  カメラ部
１０４  補助光部
２０１  光源
２０２  平行移動装置
２０３  筒状筐体
３０１  レンズ
３０２  カメラ位置マーク
３０３  ファインダー
【図１】
2006115107.tif 000003
【図２】
2006115107.tif 000004
【図３】
2006115107.tif 000005
【図４】
2006115107.tif 000006
【図５】
2006115107.tif 000007
【図６】
2006115107.tif 000008